(57)【要約】【課題】二階層に質量の軽いツーバイフォー方式の建物を設けるようにし、建物全体の耐震性を向上させる。【解決手段】基礎となる一階層１は鉄骨フレーム構造にて形成するとともに、このような一階層１の上に設けられる二階層２はツーバイフォー方式にて形成される木造建物からなるようにする。一階層１を形成する天井側横梁１１と二階層２を形成する床側基礎部材２２との間に、所定の厚さを有するスペーサ３及び防振装置５を設ける。このような防振装置５及びスペーサ３を間に介在させた状態において、一階層１と二階層２との間に、これらの間を連結するジョイント機構６を設ける。【選択図】　　　図１
2004137777.tif 000002
【特許請求の範囲】
【請求項１】
一階層は鉄骨フレームを基礎に形成されるとともに、このような鉄骨フレームにて形成された階層の上にツーバイフォー方式にて形成された木造建物を設けるようにしたことを特徴とする複数階層を有する複合建物。
【請求項２】
請求項１記載の複数階層を有する複合建物において、上記鉄骨フレームにて形成される階層の天井側横梁と、上記ツーバイフォー方式にて形成される木造建物の床側基礎部材との間に、所定の厚さを有するとともに所定の剛性を有するプラスチック製のスペーサを複数個、所定の間隔を有した状態で設置するとともに、このようなスペーサの設置された間に所定のバネ特性を有する防振装置を複数個設置するようにしたことを特徴とする複数階層を有する複合建物。
【請求項３】
請求項２記載の複数階層を有する複合建物において、上記防振装置を、所定の厚さを有する複数の防振ゴム層と、当該複数の防振ゴム層の間に設けられるものであって所定の厚さを有する金属製プレートと、の積層状体からなるようにしたことを特徴とする複数階層を有する複合建物。
【請求項４】
請求項２または請求項３記載の複数階層を有する複合建物において、上記鉄骨フレームにて形成される階層とツーバイフォー方式にて形成される木造建物との間における結合構造を、鉄骨フレームにて形成される階層の天井側横梁のところと上記ツーバイフォー方式にて形成される階層の床側基礎部材との間に設けられるものであってボルト・ナットを初めとした所定の締結手段にて形成させるとともに、当該締結手段にて上記防振装置を所定量撓ませた状態に締付けることによって形成させるようにしたことを特徴とする複数階層を有する複合建物。
【発明の詳細な説明】
【０００１】
【発明の属する技術分野】
本発明は、一階は鉄骨フレーム構造の建物からなるようにするとともに、二階はツーバイフォー方式による木造建物からなるようにし、これらを所定の締結手段及び防振装置を介して連結するようにした耐震性に優れた複数階層を有する複合建物に関するものである。
【０００２】
【従来の技術】
一般に、二階建て以上の複数階層を有する建物は、すべてが同じ形態の建築様式に則って建てられるものである。また、まれにではあるが、基礎となる一階層には鉄骨フレーム構造の建物が建てられ、その上に、一般の木製の柱構造を有する建物が搭載されるようになっているものが挙げられる。
【０００３】
【発明が解決しようとする課題】
ところで、上記木製柱構造方式の木造建物が二階層に設けられるものにおいては、当該木造建物がある程度の質量を有するものであるところから、一階層を形成する鉄骨フレーム式建物の支持土台部等は、ある程度の強度・剛性を必要とされるものであり、可成り強固な土台作りが行われている。また、鉄骨フレーム構造物の上に搭載される木製柱構造方式の建物は、耐震性を高めさせるためには、柱あるいは梁の結合部等において所定の強化処理を施さなければならないと言う問題点がある。このような問題点を解決するために、基礎となる一階層には強度的に優れた鉄骨フレーム構造の建物を設けるとともに、このような建物の上に搭載される二階層には、軽くて、全体としては強度的に優れたツーバイフォー方式の木造建物を設けるようにした複数階層を有する複合建物を提供しようとするのが、本発明の目的（課題）である。
【０００４】
【課題を解決するための手段】
上記課題を解決するために、本発明においては次のような手段を講じることとした。すなわち、請求項１記載の発明においては、複数階層を有する複合建物に関して、基礎となる一階層は鉄骨フレームを基礎に形成するとともに、このような鉄骨フレームにて形成された階層の上にツーバイフォー方式にて形成された木造建物を設けるようにした構成を採ることとした。このような構成を採ることにより、本発明のものにおいては、軽くて、全体として所定の強度・剛性を有するツーバイフォー方式の木造建物が二階層に設けられることとなり、基礎となる一階層の支持土台等を簡略化することができるようになる。また、このような構造を採ることにより、比較的少ないコストで、耐震性に優れた複数階層の建物を形成（製造）することができるようになる。
【０００５】
次に、請求項２記載の発明について説明する。このものも、その基本的な点は上記請求項１記載のものと同じである。すなわち、本発明においては、請求項１記載の複数階層を有する複合建物に関して、上記鉄骨フレームにて形成される階層の天井側横梁と、上記ツーバイフォー方式にて形成される木造建物の床側基礎部材と、の間に、所定の厚さを有するとともに所定の剛性を有するプラスチック製のスペーサを複数個、所定の間隔を有した状態で設置するとともに、このようなスペーサの設置された間に所定のバネ特性を有する防振装置を複数個設置するようにした構成を採ることとした。このような構成を採ることにより、本発明のものにおいては、一階層と二階層との間に設けられた防振装置の作用により、上の階からの振動・騒音、特に、上の階の床振動等が上記防振装置のところで遮られるようになる。その結果、鉄骨建物の弱点である上の階からの振動・騒音の伝播等の問題を効率的に解消することができるようになる。
【０００６】
次に、請求項３記載の発明について説明する。このものも、その基本的な点は上記請求項２記載のものと同じである。すなわち、本発明においては、請求項２記載の複数階層を有する複合建物に関して、上記防振装置を、所定の厚さを有する複数の防振ゴム層と、当該複数の防振ゴム層の間に設けられるものであって所定の厚さを有する金属製プレートと、の積層状体からなるようにした構成を採ることとした。このような構成を採ることにより、本発明のものにおいては、防振装置の耐久性を向上させることができるようになる。一般に、本防振装置は、その圧縮方向に常に所定の荷重を受けているものであり、永年の使用によって本防振装置を形成する防振ゴム層が圧縮方向にへたるおそれがあり、これによって防振効果を減殺させてしまうおそれがある。これに対して、本発明のものにおいては、防振ゴム層が積層状に設けられるようになっているので、圧縮方向の耐久性が高められるようになる。また、横方向、すなわち、シヤリング方向に関しては、比較的柔らかなバネ特性を維持することができるようになるので、例えば地震の際等において、一階と二階との間は相対的に自由な変位をすることができるようになり、それぞれの建物、特に、二階の部分への極端な集中荷重の入力を避けることができるようになる。
【０００７】
次に、請求項４記載の発明について説明する。このものも、その基本的な点は上記請求項２または請求項３記載のものと同じである。すなわち、本発明においては、請求項２または請求項３記載の複数階層を有する複合建物に関して、上記鉄骨フレームにて形成される階層とツーバイフォー方式にて形成される木造建物との間における結合構造を、鉄骨フレームにて形成される階層の天井側横梁のところと上記ツーバイフォー方式にて形成される階層の床側基礎部材との間に設けられるものであってボルト・ナットを初めとした所定の締結手段からなるようにするとともに、当該締結手段にて上記防振装置を所定量撓ませた状態で締付けることによって形成させるようにした構成を採ることとした。このような構成を採ることにより、本発明のものにおいては、一階層と二階層との間が、上記防振装置の有する弾性力を介した状態で結合されることとなり、地震等による外力の入力に対しては、結合部は柔軟に対応することができるようになる。従って、本発明にかかる建物は、それぞれの階層を形成する各建物自体が耐震性に優れているとともに、これらの建物間をつなぐ結合部の構造も耐震性に優れた構造となっており、全体的に優れた耐震性能を発揮することができるようになる。
【０００８】
【発明の実施の形態】
本発明の実施の形態について、図１ないし図３を基に説明する。本実施の形態にかかるものは、図１に示す如く、基礎となる一階層１は鉄骨フレーム構造にて形成されるとともに、このような一階層１の上に設けられる二階層２はツーバイフォー方式にて形成される木造建物からなることを基本とするものである。このような基本構成からなるものにおいて、一階層１と二階層２との間には、所定のスペーサ３及び防振装置５が設けられるようになっている。また、このような防振装置５及びスペーサ３を間に介在させた状態において、上記一階層１と二階層２との間には、これらの間を連結するジョイント機構６が設けられるようになっている。
【０００９】
このような構成からなるものにおいて、上記一階層１と二階層２との間、具体的には、一階層１を形成する天井側の横梁１１と二階層２を形成する床側の基礎部材２２との間には、例えば図２に示すようなスペーサ３、防振装置５、ジョイント機構６が設けられるようになっている。これらのうち、まず、スペーサ３は、図１及び図２に示す如く、所定の硬質プラスチック材にて形成されるものであって、所定の厚さ、本実施の形態においては約２０ｍｍ〜２５ｍｍの値を有するブロック状の形態からなるものが採用されるようになっている。このようなスペーサ３を一階層１の天井側横梁１１と二階層２を形成する床側の基礎部材である根太２２との間に、複数個、等間隔状に設けることによって、一階層１と二階層２との間の通気性を良くすることができるようになる。
【００１０】
また、このような複数のスペーサ３の設置される、その間には、例えば図２及び図３に示すような防振装置５が設けられるようになっている。この防振装置５は、基本的には防振ゴム材のブロック状体からなるものである。本実施の形態においては、図３に示す如く、所定の厚さを有するシート状の防振ゴム層５１と、これら複数の防振ゴム層５１、５１の間に挟まれた状態で設けられる金属製プレート５５との積層状体からなるものが採用されるようになっている。そして、このような防振装置５の自由状態時における厚さは、並列に設けられるスペーサ３の厚さよりも若干大きめ（厚目）の値を有するように設定されているものである。具体的には、本実施の形態のものにおいては、図３に示す如く、スペーサ３の厚さを２０ｍｍに設定するとともに、防振装置５の初期厚さを２５．７ｍｍの値に設定しておくようにする。このような状態において、図２に示すジョイント機構６を形成するボルト・ナットのところを締め付けて、防振装置５の全体の厚さがスペーサ３の厚さと同じ値になるように設置する。これによって、一階層１と二階層２との間は上記防振装置５を介して弾性的に結合されることとなる。その結果、二階層２からの振動・騒音等は上記防振装置５のところで遮断されることとなる。
【００１１】
なお、このような防振装置５の具体的構成は、本実施の形態においては、図３の（Ａ）に示す如く、ゴム材からなるシート状の防振ゴム層５１の一枚の厚さが約７ｍｍの値となるように設定するとともに、このようなものが３枚積層状に設けられるとともに、これらの複数枚のシート状防振ゴム層５１、５１の間に、厚さが２．３ｍｍの鉄板（金属製プレート）５５がサンドイッチ状に挟まれた状態で設けられるようになっている。このように、間に金属製プレート５５を有した状態でシート状の防振ゴム層５１を積層状に設けることによって、常に加わる圧縮方向の荷重に対して、防振ゴム層５１のへたりを防止するとともに、横方向（シヤリング方向）の荷重入力に対しては柔らかなバネ特性を発揮させることができるようになる。これによって、地震等による横揺れに対して柔軟に対応することができるようになる。
【００１２】
次に、このような構成からなる防振装置５等を間に介在させた状態で一階層１と二階層２との間を連結するジョイント機構６について、図２を基に説明する。このものは、一階層１を形成する天井側横梁１１の上面部に溶接手段にて取付けられるスタッドボルト６１と、当該スタッドボルト６１のネジ部６１１のところに締結されるナット６２と、当該ナット６２のところに設けられるワッシャ６５と、からなることを基本とするものである。そして、このようなジョイント機構６によって、上記天井側の横梁１１のところに防振装置５等を介して取付けられる床側の基礎部材（根太）２２の適宜箇所には、図２に示す如く、上記スタッドボルト６１が貫通するように装着されるボルト挿入穴２２６が設けられるようになっている。
【００１３】
このようなボルト挿入穴２２６のところに上記スタッドボルト６１が挿入された状態において、そのネジ部６１１のところにワッシャ６５を介してナット６２が取付けられるとともに、このナット６２が適宜量締付けられることによって、一階層１と二階層２との結合が行われる。なお、この場合におけるナット６２の締付量は、一階層１の横梁１１と二階層２の床側基礎部材（根太）２２との間に設けられた防振装置５の高さ（厚さ）が、同じく並列に設けられたスペーサ３の高さ（厚さ）と同じ値となるように締込まれることによって設定される（図３の（Ｂ）参照）。これによって、上記スペーサ３が、上記横梁１１と根太２２との間において、躍ったり、あるいはガタ付いたりするようなことがなくなる。
【００１４】
【発明の効果】
本発明によれば、複数階層を有する複合建物に関して、基礎となる一階層は鉄骨フレームを基礎に形成するとともに、このような鉄骨フレームにて形成された階層の上にツーバイフォー方式にて形成された木造建物を設けるようにした構成を採ることとしたので、軽くて、全体として所定の強度・剛性を有するツーバイフォー方式の木造建物が二階層に設けられることとなり、基礎となる一階層の支持土台等を簡略化することができるようになった。また、このような構造を採ることにより、比較的少ないコストで、耐震性に優れた複数階層の建物を形成（製造）することができるようになった。
【００１５】
また、本発明においては、鉄骨フレームにて形成される階層の天井側横梁と、ツーバイフォー方式にて形成される木造建物の床側基礎部材と、の間に、所定の厚さを有するとともに所定の剛性を有するプラスチック製のスペーサを複数個、所定の間隔を有した状態で設置するとともに、このようなスペーサの設置された間に所定のバネ特性を有する防振装置を複数個設置するようにした構成を採ることとしたので、この防振装置の作用により、上の階からの振動・騒音、特に、上の階の床振動等が上記防振装置のところで遮られるようになった。その結果、鉄骨建物の弱点である上の階からの振動・騒音の伝播等の問題を効果的に解消することができるようになった。
【００１６】
また、本発明においては、上記防振装置を、所定の厚さを有する複数の防振ゴム層と、当該複数の防振ゴム層の間に設けられるものであって所定の厚さを有する金属製プレートと、の積層状体からなるようにしたので、防振装置の耐久性を向上させるとともに、シヤリング方向に対しては柔らかなバネ特性を形成させることができるようになった。その結果、例えば地震の際等において、一階と二階との間は相対的に自由な変位をすることができるようになり、それぞれの建物、特に、二階の部分への極端な集中荷重の入力を抑止することができるようになった。
【００１７】
また、本発明においては、鉄骨フレームにて形成される階層とツーバイフォー方式にて形成される木造建物との間における結合構造を、鉄骨フレームにて形成される階層の天井側横梁のところと上記ツーバイフォー方式にて形成される階層の床側基礎部材との間に設けられるものであってボルト・ナットを初めとした所定の締結手段からなるようにするとともに、当該締結手段にて上記防振装置を所定量撓ませた状態で締付けることによって形成させるようにした構成を採ることとしたので、一階層と二階層との間が、上記防振装置を介して結合されることとなり、地震等による外力の入力に対しては、結合部は柔軟に対応することができるようになった。その結果、それぞれの階層を形成する各建物自体を耐震性に優れた構造とすることと相まって、建物全体を耐震性に優れた構造とすることができるようになった。
【図面の簡単な説明】
【図１】本発明の全体構成を示すスケルトン図である。
【図２】本発明の主要部を成すスペーサ、防振装置、ジョイント機構の配置状態を示す図である。
【図３】本発明の主要部を成す防振装置の詳細構成を示す図である。
【符号の説明】
１　一階層
１１　天井側横梁
２　二階層
２２　床側基礎部材（根太）
２２６　ボルト挿入穴
３　スペーサ
５　防振装置
５１　防振ゴム層
５５　金属製プレート（鉄板）
６　ジョイント機構
６１　スタッドボルト
６１１　ネジ部
６２　ナット
６５　ワッシャ
【図１】
2004137777.tif 000003
【図２】
2004137777.tif 000004
【図３】
2004137777.tif 000005